(57)【要約】【課題】例えば、電力量計に開閉器が取り付けられて、電力量計に接続される電源側電線の端部と負荷側電線の端部が、電力量計に対して異なる間隔を有する段違い状に配置されているような場合にも適用できる、電力量計用の無停電取替工具を提供する。【解決手段】本発明は、各２線の電源側電線と負荷側電線を有する電力量計において、２線の電源側電線と２線の負荷側電線が離れた状態に配置されている場合に、それぞれの２線を接続するバイパス回路を形成する電力量計用の無停電取替工具であって、電源側電線接続用の長尺な導体部と、負荷側電線接続用の長尺な導体部を、スイッチ部を介して接続している。【選択図】図１
2011174807.tif 000002
【特許請求の範囲】
【請求項１】
各２線の電源側電線と負荷側電線を有する電力量計において、２線の電源側電線と２線の負荷側電線が離れた状態に配置されている場合に、それぞれの２線を接続するバイパス回路を形成する電力量計用の無停電取替工具であって、電源側電線接続用の長尺な導体部と、負荷側電線接続用の長尺な導体部を、スイッチ部を介して接続していることを特徴とする電力量計用の無停電取替工具。
【請求項２】
電源側電線接続用の長尺な導体部・負荷側電線接続用の長尺な導体部は、いずれも長尺な２本の導線により形成されている請求項１に記載の電力量計用の無停電取替工具。
【請求項３】
電源側電線接続用の導体部を形成する２本の導線の先端部に、電源側電線における２線の導線に接続する挟持端子部を設け、負荷側電線接続用の導体部を形成する２本の導線の先端部に、負荷側電線における２線の導線に接続する挟持端子部を設けている請求項２に記載の電力量計用の無停電取替工具。
【請求項４】
挟持端子部は、２本の導線の先端部に設けられている押え台側端子と、この押え台側端子に対向するように当接する受け台側端子により形成され、受け台側端子は、連結紐を介して押え台側端子に接続されている請求項３に記載の電力量計用の無停電取替工具。
【請求項５】
スイッチ部に、締結ベルトを取り付けている請求項１に記載の電力量計用の無停電取替工具。
【発明の詳細な説明】
【技術分野】
【０００１】
本発明は、例えば、電力量計に開閉器が取り付けられて、電力量計の端子に接続される電源側電線の端部と負荷側電線の端部が、電力量計に対して異なる間隔を有する段違い状に配置されているような場合に、開閉器を無停電の状態で取り外すことのできる、電力量計用の無停電取替工具に関するものである。
【背景技術】
【０００２】
一般的な電力量計Ｍにおいては、図６に示すように、電力量計Ｍに接続されている電源側電線（１ｓ・２ｓ）の端部と負荷側電線（２Ｌ・１Ｌ）の端部が、電力量計Ｍに対して等しい間隔を有する横一列の直線状に配置されている。
【０００３】
この様な一般的な電力量計Ｍにおいては、図７に示すように、電力量計Ｍに接続されている電源側電線（１ｓ・２ｓ）と負荷側電線（２Ｌ・１Ｌ）の導通を遮断することなく、電力量計Ｍ自体を交換することができる無停電取替工具Ｔが使用されている。
【０００４】
この無停電取替工具Ｔは、例えば、図８（ａ）に示すように、電源側電線（１ｓ・２ｓ）の端部と負荷側電線（２Ｌ・１Ｌ）の端部を挟持するようにして取り付けられる。
【０００５】
具体的には、図８（ａ）（ｂ）に示すように、電源側電線（１ｓ・２ｓ）の端部と負荷側電線（２Ｌ・１Ｌ）の端部の上側に配置される工具本体１００と、電源側電線（１ｓ・２ｓ）の端部と負荷側電線（２Ｌ・１Ｌ）の端部の下側に配置される固定台１０１から構成されている。
【０００６】
工具本体１００は、所定のバイパス回路を内蔵しており、また、前面に押え台１０２を連設している。この押え台１０２の下面には、図８（ｂ）に示すように、電源側電線（１ｓ・２ｓ）と負荷側電線（２Ｌ・１Ｌ）の数に応じた複数の溝１０３が設けられている。また、押え台１０２の両端部には、図８（ａ）に示すように、孔１０４を設けている。さらに、押え台１０２には、溝１０３の位置に対応するように、４本の押切ネジ１０５を配設している。
【０００７】
一方、固定台１０１は、全体が長方形状で、その上面に複数の溝１０６が設けられている。また、固定台１０１の両端部には、ネジ孔１０７を設けている。
【０００８】
そして、固定台１０１のネジ孔１０７に工具本体１００の孔１０４を宛がうようして固定台１０１の上に工具本体１００の押え台１０２を載せ、固定台１０１の溝１０６と工具本体１００の溝１０３の間に電源側電線（１ｓ・２ｓ）と負荷側電線（２Ｌ・１Ｌ）を収容する。
【０００９】
次に、基端部に蝶ネジ１０８を固定している棒状の雄ネジ部材１０９を工具本体１００の孔１０４に挿入し、雄ネジ部材１０９の先端部を固定台１０１のネジ孔１０７にねじ込むことにより、図７に示すように、電力量計Ｍに無停電取替工具Ｔを取り付けるのである。このとき、電源側電線（１ｓ・２ｓ）と負荷側電線（２Ｌ・１Ｌ）は、無停電取替工具Ｔにおいて、互いに隣り合う電線に接触することのない、独立した状態で保持されている。
【００１０】
このように、電源側電線（１ｓ・２ｓ）と負荷側電線（２Ｌ・１Ｌ）を保持した状態において、工具本体１００の押え台１０２に配設している４本の押し切りねじ１０５をねじ込んで行く。これらの押し切りネジ１０５は、保持している電源側電線（１ｓ・２ｓ）と負荷側電線（２Ｌ・１Ｌ）の位置に対応していることから、押し切りネジ１０５をねじ込むと、ネジ１０５の先端部が、個々の電源側電線（１ｓ・２ｓ）と負荷側電線（２Ｌ・１Ｌ）における絶縁部材である被覆ビニールを破って進み、内部の導体に当接する。
【００１１】
すると、工具本体１００の押え台１０２内に配置しているインサート導体を介して工具本体１００内のバイパス回路に導通した状態となる。具体的には、このバイパス回路により、電源側電線（１ｓ）と負荷側電線（１Ｌ）が導通し、同時に、電源側電線（２ｓ）と負荷側電線（２Ｌ）が導通するのである。
【００１２】
このように無停電取替工具Ｔにより、電源側電線（１ｓ・２ｓ）と負荷側電線（２Ｌ・１Ｌ）の導通した状態を維持することにより、無停電の状態で電力量計Ｍを交換できるのである。
【先行技術文献】
【特許文献】
【００１３】
【特許文献１】特になし
【発明の概要】
【発明が解決しようとする課題】
【００１４】
しかしながら、上述した従来の無停電取替工具Ｔは、図８（ａ）（ｂ）に示すように、工具本体１００の溝１０３と固定台１０１の溝１０６が、横一列の直線状に配置されていることから、例えば、図９に示すように、電力量計Ｍに開閉器２００が取り付けられているような場合に適用できないという弊害が生じていた。
【００１５】
この開閉器２００は、所定の通信装置を内蔵しており、遠隔操作により電気回路を切断したり、接続する機能を備えている。
【００１６】
この開閉器２００を電力量計Ｍに取り付けるときには、図１０に示すように、開閉器２００自身の導線２０１・２０２を、電力量計Ｍの電源側電線（１ｓ・２ｓ）用の端子に接続する。そして、電源側電線（１ｓ・２ｓ）の端部を、開閉器２００の端子に接続する。
【００１７】
このようにして電力量計Ｍに開閉器２００を取り付けると、電源側電線（１ｓ・２ｓ）の端部が、開閉器２００の存在により下方に移動して、電力量計Ｍから若干離れることになる。
【００１８】
その為、図１０に示すように、電力量計Ｍから離れている電源側電線（１ｓ・２ｓ）の端部と、電力量計Ｍに近接している負荷側電線（２Ｌ・１Ｌ）の端部が、電力量計Ｍに対して異なる間隔を有する段違い状に配置されることとなる。
【００１９】
その結果、工具本体１００の溝１０３と固定台１０１の溝１０６が、横一列の直線状に配置されている無停電取替工具Ｔを、開閉器２００を取り付けている電力量計Ｍに適用することができない事態が生じていたのである。
【００２０】
そこで、本発明は如上のような従来存した諸事情に鑑み創出されたもので、例えば、電力量計に開閉器が取り付けられて、電力量計に接続される電源側電線の端部と負荷側電線の端部が、電力量計に対して異なる間隔を有する段違い状に配置されているような場合にも適用できる、電力量計用の無停電取替工具を提供することを目的とする。
【課題を解決するための手段】
【００２１】
本発明は、各２線の電源側電線と負荷側電線を有する電力量計において、２線の電源側電線と２線の負荷側電線が離れた状態に配置されている場合に、それぞれの２線を接続するバイパス回路を形成する電力量計用の無停電取替工具であって、電源側電線接続用の長尺な導体部と、負荷側電線接続用の長尺な導体部を、スイッチ部を介して接続していることで、上述した課題を解決した。
【００２２】
また、電源側電線接続用の長尺な導体部・負荷側電線接続用の長尺な導体部は、いずれも長尺な２本の導線により形成されていることで、同じく上述した課題を解決した。
【００２３】
さらに、電源側電線接続用の導体部を形成する２本の導線の先端部に、電源側電線における２線の導線に接続する挟持端子部を設け、負荷側電線接続用の導体部を形成する２本の導線の先端部に、負荷側電線における２線の導線に接続する挟持端子部を設けていることで、同じく上述した課題を解決した。
【００２４】
また、挟持端子部は、２本の導線の先端部に設けられている押え台側端子と、この押え台側端子に対向するように当接する受け台側端子により形成され、受け台側端子は、連結紐を介して押え台側端子に接続されていることで、同じく上述した課題を解決した。
【００２５】
この他、スイッチ部に、締結ベルトを取り付けていることで、同じく上述した課題を解決した。
【発明の効果】
【００２６】
本発明は、各２線の電源側電線と負荷側電線を有する電力量計において、２線の電源側電線と２線の負荷側電線が離れた状態に配置されている場合に、それぞれの２線を接続するバイパス回路を形成する電力量計用の無停電取替工具であって、電源側電線接続用の長尺な導体部と、負荷側電線接続用の長尺な導体部を、スイッチ部を介して接続していることから、例えば、電力量計に開閉器が取り付けられて、電力量計に接続される電源側電線の端部と負荷側電線の端部が、電力量計に対して異なる間隔を有する段違い状に配置されているような場合にも適用することができる。
【００２７】
具体的には、電力量計に開閉器を取り付けると、電源側電線の端部が、開閉器の存在により下方に移動して、電力量計から若干離れることになる。その結果、電力量計から離れている電源側電線の端部と、電力量計に近接している負荷側電線の端部が、電力量計に対して異なる間隔を有する段違い状に配置されることとなるが、電源側電線接続用の導体部と、負荷側電線接続用の導体部が、それぞれ長尺に形成されているため、離れている電源側電線の端部と負荷側電線の端部に導体部を接続して、バイパス回路を形成できるのである。
【００２８】
その為、電力量計に接続されている電源側電線と負荷側電線の導通を遮断することなく、電力量計から開閉器を取り外すことができる。
【００２９】
また、電源側電線接続用の長尺な導体部・負荷側電線接続用の長尺な導体部は、いずれも長尺な２本の導線により形成されていることから、離れている電源側電線の端部と負荷側電線の端部に接続可能であり、電源側電線（１ｓ）と負荷側電線（１Ｌ）を導通させ、同時に、電源側電線（２ｓ）と負荷側電線（２Ｌ）を導通させるのである。
【００３０】
さらに、電源側電線接続用の導体部を形成する２本の導線の先端部に、電源側電線における２線の導線に接続する挟持端子部を設け、負荷側電線接続用の導体部を形成する２本の導線の先端部に、負荷側電線における２線の導線に接続する挟持端子部を設けていることから、この挟持端子部を介して、一方の導体部を電源側電線に容易に接続し、また、他方の導体部を負荷側電線に容易に接続できる。
【００３１】
具体的には、挟持端子部は、２本の導線の先端部に設けられている押え台側端子と、この押え台側端子に対向するように当接する受け台側端子により形成されていることから、電源側電線と負荷側電線における各２線の導線を押え台側端子と受け台側端子により挟み込んで、確実に接続することができる。
【００３２】
また、受け台側端子は、連結紐を介して押え台側端子に接続されていることから、押え台側端子と受け台側端子を常に一体的に取り扱うことができ、電源側電線・負荷側電線への取り付けが容易となる。さらに、受け台側端子を紛失するようなことも無い。
【００３３】
この他、スイッチ部に、締結ベルトを取り付けていることから、この締結ベルトを電力量計に巻回することにより、無停電取替工具のスイッチ部を、電力量計に仮止めすることができる。
【図面の簡単な説明】
【００３４】
【図１】無停電取替工具の構成を示すもので、（ａ）は電源側電線接続用の長尺な導体部と、負荷側電線接続用の長尺な導体部を、スイッチ部を介して接続している状態を示す斜視図、（ｂ）はそれぞれの導体部を、２本の導線により形成している状態を示す概略の説明図である。
【図２】スイッチ部を電力量計の上部に載置し、締結ベルトを電力量計の下側に巻回してスイッチ部を電力量計に仮止めした状態において、開閉器に接続している電源側電線に、導体部の挟持端子部を取り付けている状態を示す斜視図である。
【図３】開閉器を電力量計から若干引き離すようにして、電力量計に接続している負荷側電線を露出させ、この露出した負荷側電線に導体部の挟持端子部を取り付けている状態を示す斜視図である。
【図４】電力量計の電源側電線用の端子に接続している開閉器自身の導線を引き抜いた状態を示す斜視図である。
【図５】開閉器を完全に取り外した後に、電力量計の電源側電線用の端子に、導体部の挟持端子部が取り付けられている電源側電線の端部を接続した状態を示す斜視図である。
【図６】電源側電線から導体部の挟持端子部を取り外し、また、負荷側電線からも導体部の挟持端子部を取り外した状態（一般的な電力量計の構成）を示す斜視図である。
【図７】電力量計に、従来の無停電取替工具を取り付けている状態を示す斜視図である。
【図８】電力量計に、従来の無停電取替工具を取り付ける状態を示すもので、（ａ）は電源側電線の端部と負荷側電線の端部を挟持するようにして無停電取替工具を取り付ける状態を示す分解斜視図、（ｂ）は無停電取替工具を押え台側から見た状態の分解側面図である。
【図９】電力量計に開閉器を取り付けている状態を示す斜視図である。
【図１０】開閉器自身の導線を、電力量計の電源側電線用の端子に接続し、電源側電線の端部を開閉器の端子に接続した状態で、電力量計から離れている電源側電線の端部と、電力量計に近接している負荷側電線の端部が、電力量計に対して異なる間隔を有する段違い状に配置されている状態を示す説明図である。
【発明を実施するための形態】
【００３５】
本発明は、各２線の電源側電線（１ｓ・２ｓ）と負荷側電線（２Ｌ・１Ｌ）を有する電力量計Ｍにおいて、２線の電源側電線（１ｓ・２ｓ）と２線の負荷側電線（２Ｌ・１Ｌ）が離れた状態に配置されている場合に、それぞれの２線を接続するバイパス回路を形成する電力量計用の無停電取替工具１である。
【００３６】
この無停電取替工具１は、図１（ａ）に示すように、電源側電線（１ｓ・２ｓ）接続用の長尺な導体部３と、負荷側電線（２Ｌ・１Ｌ）接続用の長尺な導体部４を、スイッチ部２を介して接続している。
【００３７】
導体部３は、図１（ｂ）に示すように、長尺な２本の導線３ａ，３ｂにより形成され、この２本の導線３ａ，３ｂは、図１（ａ）に示すように、絶縁シース５により被覆されている。同様に、導体部４も、長尺な２本の導線４ａ，４ｂにより形成され、この２本の導線４ａ，４ｂも絶縁シース５により被覆されている。
【００３８】
電源側電線（１ｓ・２ｓ）接続用の導体部３を形成する２本の導線３ａ，３ｂの先端部には、図１（ａ）に示すように、挟持端子部６を設けている。この挟持端子部６は、２本の導線３ａ，３ｂの先端部に設けられている押え台側端子６ａと、この押え台側端子６ａに対向するように当接する受け台側端子６ｂにより形成されている。
【００３９】
押え台側端子６ａと受け台側端子６ｂは、いずれも四角柱状で、それぞれ一対の挿入溝６ｃ，６ｄを備えている。この挿入溝６ｃ，６ｄは、電源側電線（１ｓ・２ｓ）を収容する部分である。また、受け台側端子６ｂは、短い連結紐６ｅを介して押え台側端子６ａに接続されている。
【００４０】
さらに、押え台側端子６ａは、その中央部に所定のネジ６ｆを回転可能に保持している。また、受け台側端子６ｂは、その中央部にネジ孔６ｇを設けている。
【００４１】
加えて、押え台側端子６ａは、ネジ６ｆの両側に、押し切りネジ６ｈを回転可能に保持している。
【００４２】
そして、開閉器２００が設置されている電力量計Ｍに無停電取替工具１を取り付けるときは、図２に示すように、電源側電線（１ｓ・２ｓ）を挟み込むようにして受け台側端子６ａと押え台側端子６ｂを配置し、電源側電線（１ｓ・２ｓ）を挿入溝６ｃ，６ｄに収容する。この状態で、押え台側端子６ａのネジ６ｆを回転させてネジ６ｆの雄ネジ部分を受け台側端子６ｂのネジ孔６ｇにねじ込んで、電源側電線（１ｓ・２ｓ）に挟持端子部６を取り付けるのである。
【００４３】
この状態において、押え台側端子６ａの押し切りネジ６ｈをねじ込むと、押し切りネジ６ｈの先端部が、電源側電線（１ｓ・２ｓ）における絶縁部材である被覆ビニールを破って進み、内部の導体に当接するのである。
【００４４】
同様に、図１（ａ）に示すように、負荷側電線（２Ｌ・１Ｌ）接続用の導体部４を形成する２本の導線４ａ，４ｂの先端部にも、挟持端子部７を設けている。この挟持端子部７は、２本の導線４ａ，４ｂの先端部に設けられている押え台側端子７ａと、この押え台側端子７ａに対向するように当接する受け台側端子７ｂにより形成されている。
【００４５】
これらの押え台側端子７ａと受け台側端子７ｂの構成は、前記した挟持端子部６における押え台側端子６ａと受け台側端子６ｂの構成と同一であるため、その詳細な説明を省略する。
【００４６】
そして、開閉器２００が設置されている電力量計Ｍに無停電取替工具１を取り付けるときは、図３に示すように、負荷側電線（２Ｌ・１Ｌ）を挟み込むようにして受け台側端子７ａと押え台側端子７ｂを配置し、負荷側電線（２Ｌ・１Ｌ）を挿入溝７ｃ，７ｄに収容する。この状態で、押え台側端子７ａのネジ７ｆを回転させてネジ７ｆの雄ネジ部分を受け台側端子７ｂのネジ孔７ｇにねじ込んで、負荷側電線（２Ｌ・１Ｌ）に挟持端子部７を取り付けるのである。
【００４７】
この状態において、押え台側端子７ａの押し切りネジ７ｈをねじ込むと、押し切りネジ７ｈの先端部が、負荷側電線（２Ｌ・１Ｌ）における絶縁部材である被覆ビニールを破って進み、内部の導体に当接するのである。
【００４８】
この他、電源側電線（１ｓ・２ｓ）接続用の長尺な導体部３の基端部と、負荷側電線（２Ｌ・１Ｌ）接続用の長尺な導体部４の基端部を接続するスイッチ部２は、図１（ｂ）に示すように、導体部３の導線３ａと導体部４の導線４ａの導通した状態・導通していない状態を操作する。同様に、スイッチ部２は、導体部３の導線３ｂと導体部４の導線４ｂの導通した状態・導通していない状態を操作するが、いずれも基本的には導通した状態を維持している。
【００４９】
また、スイッチ部２には、図１（ａ）に示すように、所定の長さの締結ベルト８を取り付けている。その為、開閉器２００が設置されている電力量計Ｍに無停電取替工具１を取り付けるときは、例えば、図２に示すように、スイッチ部２を電力量計Ｍの上部に載置し、締結ベルト８を電力量計Ｍの下側に巻回することにより、スイッチ部２を電力量計Ｍに仮止めすることができる。
【００５０】
以下に、図９に示すように、電力量計Ｍに開閉器２００が取り付けられている場合において、無停電取替工具１を使用することにより、無停電の状態を維持しながら電力量計Ｍから開閉器２００を取り外す手順を詳述する。
【００５１】
まず、図２に示すように、スイッチ部２を電力量計Ｍの上部に載置し、締結ベルト８を電力量計Ｍの下側に巻回してスイッチ部２を電力量計Ｍに仮止めした状態において、開閉器２００に接続している電源側電線（１ｓ・２ｓ）に、導体部３の挟持端子部６を取り付ける。
【００５２】
具体的には、電源側電線（１ｓ・２ｓ）を挟み込むようにして受け台側端子６ａと押え台側端子６ｂを配置し、電源側電線（１ｓ・２ｓ）を挿入溝６ｃ，６ｄに収容する。この状態で、押え台側端子６ａのネジ６ｆを回転させてネジ６ｆの雄ネジ部分を受け台側端子６ｂのネジ孔６ｇにねじ込んで、電源側電線（１ｓ・２ｓ）に挟持端子部６を固定する。この状態において、押え台側端子６ａの押し切りネジ６ｈをねじ込んで、押し切りネジ６ｈの先端部を電源側電線（１ｓ・２ｓ）の内部の導体に当接させる。
【００５３】
その結果、電源側電線（１ｓ）と導体部３の導線３ａが接続される。また、電源側電線（２ｓ）と導体部３の導線３ｂが接続される。
【００５４】
次に、図３に示すように、開閉器２００を電力量計Ｍから若干引き離すようにして、電力量計Ｍに接続している負荷側電線（２Ｌ・１Ｌ）を露出させ、この露出した負荷側電線（２Ｌ・１Ｌ）に導体部４の挟持端子部７を取り付ける。
【００５５】
具体的には、負荷側電線（２Ｌ・１Ｌ）を挟み込むようにして受け台側端子７ａと押え台側端子７ｂを配置し、負荷側電線（２Ｌ・１Ｌ）を挿入溝７ｃ，７ｄに収容する。この状態で、押え台側端子７ａのネジ７ｆを回転させてネジ７ｆの雄ネジ部分を受け台側端子７ｂのネジ孔７ｇにねじ込んで、負荷側電線（２Ｌ・１Ｌ）に挟持端子部７を固定する。この状態において、押え台側端子７ａの押し切りネジ７ｈをねじ込んで、押し切りネジ７ｈの先端部を負荷側電線（２Ｌ・１Ｌ）の内部の導体に当接させる。
【００５６】
その結果、負荷側電線（２Ｌ）と導体部４の導線４ｂが接続される。また、負荷側電線（１Ｌ）と導体部４の導線４ａが接続される。
【００５７】
そして、スイッチ部２は、導体部３の導線３ａと導体部４の導線４ａの導通した状態と、導体部３の導線３ｂと導体部４の導線４ｂの導通した状態を維持することから、無停電取替工具１の導体部３・４を介して、電源側電線（１ｓ）と負荷側電線（１Ｌ）が接続される。同様に、電源側電線（２ｓ）と負荷側電線（２Ｌ）も接続され、全体として無停電の状態を維持するバイパス回路を形成することになる。
【００５８】
次に、図４に示すように、電力量計Ｍの電源側電線（１ｓ・２ｓ）用の端子に接続している開閉器２００自身の導線２０１・２０２を引き抜く。
【００５９】
次に、開閉器２００の端子に接続している電源側電線（１ｓ・２ｓ）の端部を、開閉器２００の端子から引き抜いて、開閉器２００を完全に取り外す。この引き抜いた電源側電線（１ｓ・２ｓ）には、導体部３の挟持端子部６が取り付けられており、無停電の状態が維持されている。
【００６０】
次に、図５に示すように、電力量計Ｍの電源側電線（１ｓ・２ｓ）用の端子に、導体部３の挟持端子部６が取り付けられている電源側電線（１ｓ・２ｓ）の端部を接続する。
【００６１】
最後に、図６に示すように、電源側電線（１ｓ・２ｓ）から導体部３の挟持端子部６を取り外し、また、負荷側電線（２Ｌ・１Ｌ）から導体部４の挟持端子部７が取り外して作業を終える。
【００６２】
尚、上述した手順を逆に行うことにより、無停電の状態を維持しながら、電力量計Ｍに開閉器２００を取り付けることもできる。
【００６３】
また、本発明は、各２線の電源側電線（１ｓ・２ｓ）と負荷側電線（２Ｌ・１Ｌ）を有する電力量計Ｍにのみ適用されるものではなく、電源側電線と負荷側電線が３線以上の電力量計Ｍにも適用できる。
【００６４】
このとき、電源側電線接続用の長尺な導体部３と、負荷側電線接続用の長尺な導体部４は、いずれも３本以上の導線により形成される。また、各導線の先端部に設ける挟持端子部６も、３個以上の挿入溝を有するものとなる。
【産業上の利用可能性】
【００６５】
本発明に係る電力量計用の無停電取替工具は、無停電の状態で電力量計に開閉器を取り付けたり、開閉器を取り外す場合の他に、電力量計に接続される電源側電線の端部と負荷側電線の端部が、電力量計に対して異なる間隔を有する段違い状に配置されているような場合に無停電の状態で電力量計を交換する場合等に、幅広く利用することができる。
【符号の説明】
【００６６】
Ｍ…電力量計
１ｓ…電源側電線
２ｓ…電源側電線
２Ｌ…負荷側電線
１Ｌ…負荷側電線
Ｔ…無停電取替工具
１００…工具本体
１０１…固定台
１０２…押え台
１０３…溝
１０４…孔
１０５…押切ネジ
１０６…溝
１０７…ネジ孔
１０８…蝶ネジ
１０９…雄ネジ部材
２００…開閉器
２０１…導線
２０２…導線
１…無停電取替工具
２…スイッチ部
３…導体部
３ａ…導線
３ｂ…導線
４…導体部
４ａ…導線
４ｂ…導線
５…絶縁シース
６…挟持端子部
６ａ…押え台側端子
６ｂ…受け台側端子
６ｃ…挿入溝
６ｄ…挿入溝
６ｅ…連結紐
６ｆ…ネジ
６ｇ…ネジ孔
６ｈ…押し切りネジ
７…挟持端子部
７ａ…押え台側端子
７ｂ…受け台側端子
７ｃ…挿入溝
７ｄ…挿入溝
７ｅ…連結紐
７ｆ…ネジ
７ｇ…ネジ孔
７ｈ…押し切りネジ
【図１】
2011174807.tif 000003
【図２】
2011174807.tif 000004
【図３】
2011174807.tif 000005
【図４】
2011174807.tif 000006
【図５】
2011174807.tif 000007
【図６】
2011174807.tif 000008
【図７】
2011174807.tif 000009
【図８】
2011174807.tif 000010
【図９】
2011174807.tif 000011
【図１０】
2011174807.tif 000012